(57)【要約】      （修正有）【課題】目詰まりの状況を適確に検出できるフィルタ装置及びその目詰まり判定方法を提供する。【解決手段】フィルタ装置３００は、冷却気流が下側から上側に向けて供給される電子機器の下側に配設される筐体であって、第１開口部を備える底面枠と、第１開口部に対向する第２開口部を備える上面枠とを有する、導体製の筐体と、筐体の底面枠の上面側に設けられ、筐体とは絶縁される、複数の端子１３１〜４と、筐体の内部において、第１開口部と第２開口部との間に配設され、冷却気流の塵埃を除去するフィルタ部と、フィルタ部の平面視における周囲を保持するフレームとを有するフィルタ１５０と、複数の端子に接続され、複数の端子の電位を検出する（フレームが底面枠の上面と複数の端子とに接触している状態における電位に対する、冷却気流がフィルタ部を介して電子機器に供給されている状態における電位の変化を検出する）電位検出部とを含む。【選択図】図１
2018050007.tif 000002
【特許請求の範囲】
【請求項１】
気流が下側から上側に向けて供給される電子機器の下側に配設される筐体であって、第１開口部を備える底面枠と、前記第１開口部に対向する第２開口部を備える上面枠とを有する導体製の筐体と、
前記筐体の前記底面枠の上面側に設けられ、前記筐体とは絶縁される複数の端子と、
前記筐体の内部において、前記第１開口部と前記第２開口部との間に配設され、前記気流の塵埃を除去するフィルタ部と、前記フィルタ部の平面視における周囲を保持するフレームとを有するフィルタと、
前記複数の端子に接続され、前記複数の端子の電位を検出する電位検出部であって、前記フレームが前記底面枠の上面と前記複数の端子とに接触している状態における電位に対する、前記気流が前記フィルタ部を介して前記電子機器に供給されている状態における電位の変化を検出する電位検出部と
を含む、フィルタ装置。
【請求項２】
前記電位検出部は、前記複数の端子の電位の論理和を出力する論理和回路であり、
前記論理和回路は、前記フレームが前記底面枠の上面と前記複数の端子とに接触している状態において第１論理値を出力し、前記フィルタ部に所定量以上の塵埃が付着して前記冷却気流が前記フィルタ部を介して前記電子機器に供給されている状態において第２論理値を出力する、請求項１記載のフィルタ装置。
【請求項３】
前記フィルタは、前記フレームに接続され、前記フィルタ部の中央部を保持するサブフレームをさらに有する、請求項１又は２記載のフィルタ装置。
【請求項４】
前記第１開口部及び前記第２開口部は平面視で矩形状であり、
前記底面枠及び前記上面枠は、平面視で、前記第１開口部及び前記第２開口部をそれぞれ囲む矩形環状であり、
前記フィルタ部は平面視で矩形状であり、前記フレームは平面視で前記矩形状のフィルタ部を囲む矩形環状であり、
前記複数の端子は、矩形環状の前記底面枠の上面の四隅のいずれかに配設される、請求項１乃至３のいずれか一項記載のフィルタ装置。
【請求項５】
前記複数の端子は、
矩形環状の前記底面枠の上面の四隅のうちの対角上の２つの隅にそれぞれ配設される２つの端子、
矩形環状の前記底面枠の上面の四隅のうちの３つの隅にそれぞれ配設される３つの端子、又は、
矩形環状の前記底面枠の上面の四隅にそれぞれ配設される４つの端子である、請求項４記載のフィルタ装置。
【請求項６】
冷却気流が下側から上側に向けて供給される電子機器の下側に配設される筐体であって、第１開口部を備える底面枠と、前記第１開口部に対向する第２開口部を備える上面枠とを有する、導体製の筐体と、
前記筐体の前記底面枠の上面側に設けられ、前記筐体とは絶縁される、複数の端子と、
前記筐体の内部において、前記第１開口部と前記第２開口部との間に配設され、前記冷却気流の塵埃を除去するフィルタ部と、前記フィルタ部の平面視における周囲を保持するフレームとを有するフィルタと
を含むフィルタ装置の目詰まり判定方法であって、
前記フレームが前記底面枠の上面と前記複数の端子とに接触している状態における電位に対する、前記冷却気流が前記フィルタ部を介して前記電子機器に供給されている状態における電位の変化に基づいて、前記フィルタの目詰まりを判定する、フィルタ装置の目詰まり判定方法。
【発明の詳細な説明】
【技術分野】
【０００１】
本発明は、フィルタ装置、及び、フィルタ装置の目詰まり判定方法に関する。
【背景技術】
【０００２】
従来より、空調装置の送風通路中に配置され、空調空気よりダストを除去するフィルタと、このフィルタに当接しフィルタの移動状態を検知する変位量検出手段と、前記空調装置の送風量に関係する物理量を検出する送風量検出手段とを備えるダストフィルタの目詰まり検出装置がある。前記送風量検出手段の検出値が所定値の状態で、かつ前記変移量検出手段の検出変移量が所定量以上の場合、前記フィルタの目詰まりを検知する。
【０００３】
前記フィルタと当接しフィルタと一体に変移可能なフォルダーは、前記フィルタのうち、空調装置送風部位のほぼ中央部に配置されている（例えば、特許文献１参照）。
【先行技術文献】
【特許文献】
【０００４】
【特許文献１】特開２０００−１８９７３８号公報
【発明の概要】
【発明が解決しようとする課題】
【０００５】
ところで、従来のダストフィルタの目詰まり検出装置は、フィルタのほぼ中央部で目詰まりを検出しているため、フィルタの中央部における目詰まりを検出することはできるが、フィルタの目詰まりに平面的な分布（偏り）が生じうるような状況では、目詰まりの状況を適確に検出することができないおそれがある。
【０００６】
そこで、目詰まりの状況を適確に検出できるフィルタ装置、及び、フィルタ装置の目詰まり判定方法を提供することを目的とする。
【課題を解決するための手段】
【０００７】
本発明の実施の形態のフィルタ装置は、冷却気流が下側から上側に向けて供給される電子機器の下側に配設される筐体であって、第１開口部を備える底面枠と、前記第１開口部に対向する第２開口部を備える上面枠とを有する、導体製の筐体と、前記筐体の前記底面枠の上面側に設けられ、前記筐体とは絶縁される、複数の端子と、前記筐体の内部において、前記第１開口部と前記第２開口部との間に配設され、前記冷却気流の塵埃を除去するフィルタ部と、前記フィルタ部の平面視における周囲を保持するフレームとを有するフィルタと、前記複数の端子に接続され、前記複数の端子の電位を検出する電位検出部であって、前記フレームが前記底面枠の上面と前記複数の端子とに接触している状態における電位に対する、前記冷却気流が前記フィルタ部を介して前記電子機器に供給されている状態における電位の変化を検出する、電位検出部とを含む。
【発明の効果】
【０００８】
目詰まりの状況を適確に検出できるフィルタ装置、及び、フィルタ装置の目詰まり判定方法を提供することができる。
【図面の簡単な説明】
【０００９】
【図１】実施の形態のフィルタ装置３００を含む基地局装置１０を示す図である。
【図２】フィルタ本体１００を示す図である。
【図３】フィルタ本体１００を示す図である。
【図４】フィルタ１５０を示す図である。
【図５】センサ１２１を示す図である。
【図６】センサ１２１を示す図である。
【図７】フィルタ本体１００と監視制御カード２００の監視系の構成を示す図である。
【発明を実施するための形態】
【００１０】
以下、本発明のフィルタ装置、及び、フィルタ装置の目詰まり判定方法を適用した実施の形態について説明する。
【００１１】
＜実施の形態＞
図１は、実施の形態のフィルタ装置３００を含む基地局装置１０を示す図である。以下では、ＸＹＺ座標を定義して説明する。Ｚ軸は鉛直方向に沿っている。このため、Ｚ軸負方向側は下側であり、Ｚ軸正方向側は上側である。また、平面視とは、ＸＹ平面をＺ軸正方向側から見ることをいう。
【００１２】
基地局装置１０は、フレーム２０（２０Ｌ、２０Ｒ）、信号処理カード３０（３１、３２、３３、３４、３５、３６）、冷却ファン４０、及びフィルタ装置３００を含む。
【００１３】
フレーム２０は、フレーム部２０Ｌ及び２０Ｒを有する。フレーム部２０Ｌ及び２０Ｒは、矩形枠状の部材であり、図示しないステーのような固定部材によって互いに固定されている。フレーム２０は、グランド（接地）電位（フレームグランド電位）に保持される。
【００１４】
フレーム２０には、下から上にかけて、フィルタ装置３００のフィルタ本体１００（最下段）、信号処理カード３０（３１、３２、３３、３４、３５、３６）とフィルタ装置３００の監視制御カード２００（中段）、及び、冷却ファン４０（最上段）が３段に重ねられた状態で固定されている。
【００１５】
なお、ここでは、一例として、フレーム２０がフレーム部２０Ｌ及び２０Ｒを有する形態について説明するが、フレーム２０は、フィルタ本体１００、信号処理カード３０（３１、３２、３３、３４、３５、３６）、監視制御カード２００、及び冷却ファン４０を保持できれば、どのような構成であってもよい。また、フレーム２０の代わりに、棚を備えるキャビネット又はラックを用いてもよい。
【００１６】
また、上述の最下段、中段、及び、最上段は、図１に示す構成要素の中での上下方向の位置関係を示すために用いた文言である。このため、フィルタ本体１００の下に他の構成要素（例えば、信号処理カード）が配設されていてもよく、冷却ファン４０の上に他の構成要素（例えば、信号処理カード）が配設されていてもよい。
【００１７】
フィルタ装置３００は、フィルタ本体１００と監視制御カード２００を含む。図１には、フィルタ本体１００の端子１３１、１３２、１３３、１３４及び導電性ゴム１４１、１４２、１４３、１４４とフィルタ１５０を示すとともに、監視制御カード２００のノード２１１、２１２、２１３、２１４、及び、警告灯２４０を示す。警告灯２４０は、監視制御カード２００のフロントパネル２０１に設けられている。
【００１８】
フィルタ本体１００は、冷却ファン４０の吸引力によって、下側（フィルタ本体１００の下面側）から空気を吸引し、フィルタ１５０で空気中の塵埃等を除去し、上側から送出することによって、信号処理カード３０（３１、３２、３３、３４、３５、３６）を冷却する。このときに、監視制御カード２００も冷却される。
【００１９】
端子１３１、１３２、１３３、１３４は、互いに絶縁されている。同様に、導電性ゴム１４１、１４２、１４３、１４４は、互いに絶縁されており、ノード２１１、２１２、２１３、２１４も互いに絶縁されている。端子１３１、１３２、１３３、１３４の上には、それぞれ、導電性ゴム１４１、１４２、１４３、１４４が導電性接着剤等によって貼り付けられている。
【００２０】
端子１３１、１３２、１３３、１３４は、それぞれ、導電性ゴム１４１、１４２、１４３、１４４を介してノード２１１、２１２、２１３、２１４に接触しており、フィルタ１５０の目詰まりを検出する際に用いられる。なお、端子１３１、１３２、１３３、１３４とノード２１１、２１２、２１３、２１４が直接的に接触可能である場合には、導電性ゴム１４１、１４２、１４３、１４４を用いなくてもよい。
【００２１】
導電性ゴム１４１、１４２、１４３、１４４は、弾性を有するゴムに導電性材料（カーボンブラック又は金属粉）を混入させた部材である。
【００２２】
監視制御カード２００は、フィルタ１５０の目詰まりを監視する。監視制御カード２００は、信号処理カード３０（３１、３２、３３、３４、３５、３６）の各々と同一のサイズを有し、フレーム２０の中段に配設されている。監視制御カード２００の内部構成については図７を用いて後述するが、監視制御カード２００は、ノード２１１、２１２、２１３、２１４を介して検出する電位に基づいて、フィルタ１５０の目詰まりを監視し、目詰まりが生じると、警告灯２４０を点灯する。警告灯２４０は、Ｙ軸負方向側の表面に設けられている。
【００２３】
信号処理カード３０は、６枚の信号処理カード３１、３２、３３、３４、３５、３６に区別することができる。信号処理カード３１、３２、３３、３４、３５、３６は、それぞれ、ベースバンド処理部、ＨＷＹ(high  way)インターフェイス処理部、及びスケジューラ等の機能を有するカード型の情報処理装置である。信号処理カード３１、３２、３３、３４、３５、３６は、電子機器の一例である。なお、ベースバンド処理部、ＨＷＹインターフェイス処理部、及びスケジューラの機能毎に信号処理カードが分けられていてもよい。
【００２４】
信号処理カード３１、３２、３３、３４、３５、３６は、監視制御カード２００とともにフレーム２０の中段に配設されている。信号処理カード３１、３２、３３、３４、３５、３６と、監視制御カード２００とは、Ｙ軸負方向側からフレーム２０に挿入される。
【００２５】
冷却ファン４０は、ファン４１、４２、４３、４４を有する。冷却ファン４０は、ファン４１、４２、４３、４４を回転駆動して、Ｚ軸負方向側からＺ軸正方向側に空気を吸引することにより、信号処理カード３０（３１、３２、３３、３４、３５、３６）と監視制御カード２００を冷却する。すなわち、信号処理カード３０（３１、３２、３３、３４、３５、３６）と監視制御カード２００には、フィルタ本体１００によって塵埃が除去された空気（冷却気流）が下側から上側に向かって供給される。
【００２６】
ファン４１、４２、４３、４４は、Ｘ軸負方向側からＸ軸正方向側に向かって配列されている。ファン４１及び４２はＹ軸方向に３つ設けられており、ファン４３及び４４はＹ軸方向に２つ設けられている。
【００２７】
ファン４１及び４２と、ファン４３及び４４との数が異なるのは、基地局装置１０は、一例として、ファン４１及び４２が位置するＸ軸負方向側の方が信号処理カードの放熱量が多く風量がより多く必要であり、ファン４３及び４４が位置するＸ軸正方向側の方が信号処理カードの放熱量が少なく風量がより少なくて済むからである。
【００２８】
また、基地局装置１０は、ファン４１、４２、４３、４４の数で放熱量の大小に対応することに加えて、又は、その代わりに、内部の信号処理カードの放熱量の分布に応じて、ファン４１、４２、４３、４４の回転速度を設定する。このため、放熱量が多い部分では回転速度を高く設定し、放熱量が少ない部分では回転速度を低く設定する。
【００２９】
このように、基地局装置１０は、内部からの放熱量に応じてファン４１、４２、４３、４４の数、及び／又は、回転速度を設定するため、平面視においてフィルタ１５０を通過する空気（冷却気流）の量に分布が生じ、フィルタ１５０に付着する塵埃の量は平面視において均一ではない。
【００３０】
例えば、２つのファン４４がある側よりも３つのファン４１がある側の方が、多くの塵埃がフィルタ１５０に付着する場合が有り得る。また、平面視でＹ軸正方向側の方がＹ軸負方向側よりも、多くの塵埃がフィルタ１５０に付着する場合が有り得る。また、Ｙ軸正方向側の１つのファン４１がある部分において、最も多くの塵埃がフィルタ１５０に付着する場合が有り得る。
【００３１】
また、ここでは、一例として、６枚の信号処理カード３１、３２、３３、３４、３５、３６がフレーム２０に差し込まれている形態について説明するが、人口がより少ない地域に基地局装置１０が配置される場合には、３枚の信号処理カード３１、３２、３３のみがフレーム２０に挿入され、図１において信号処理カード３４、３５、３６が配設されている部分が空隙になる場合もある。このような場合にも、平面視においてフィルタ１５０を通過する空気の量に分布が生じ、フィルタ１５０に付着する塵埃の量は平面視において均一ではなくなる。なお、空隙になる場合は冷却効果を保つため、Y軸負方向の面を信号処理カードの正面に合わせた形状物で覆うことが一般的である。Y軸正方向の面はBWB(Back  Wired  Board)にて信号処理カード間の配線用基盤があるため、空気がY軸正方向に漏れることはない。
【００３２】
図２及び図３は、フィルタ本体１００を示す図である。図２及び図３では、導電性ゴム１４１、１４２、１４３、１４４とフィルタ１５０を省略する。
【００３３】
フィルタ本体１００は、フィルタケース１１０、センサ１２１、１２２、１２３、１２４、及び、端子１３１、１３２、１３３、１３４を有する。
【００３４】
フィルタケース１１０は、フィルタ１５０を内部に収容する筐体の一例である。フィルタケース１１０は、ステンレス又はアルミニウム等の金属（導体）製であり、底面枠１１０Ｂ、上面枠１１０Ｕ、及び側面枠１１０Ｓを有する。フィルタケース１１０は、フレーム２０に固定されることにより、フレームグランド電位に保持される。
【００３５】
底面枠１１０Ｂは、矩形状の開口部１１１Ｂを有し、フィルタケース１１０の底面を規定する矩形環状の枠状の部分である。開口部１１１Ｂは、第１開口部の一例である。上面枠１１０Ｕは、矩形状の開口部１１１Ｕを有し、フィルタケース１１０の上面を規定する矩形環状の枠状の部分である。開口部１１１Ｕは、第２開口部の一例である。
【００３６】
底面枠１１０Ｂと上面枠１１０Ｕは、同一の形状を有し、開口部１１１Ｂと開口部１１１Ｕの位置は、平面視で一致している。本発明例では一致としているが、気流計算等により一致させない方が良い場合もある。開口部１１１Ｂ及び１１１Ｕは、フィルタ本体１００の冷却気流の流路を構築する。
【００３７】
側面枠１１０Ｓは、底面枠１１０Ｂと上面枠１１０Ｕの間において、Ｘ軸負方向側のＹＺ平面に平行な側面と、Ｘ軸正方向側のＹＺ平面に平行な側面と、Ｙ軸正方向側のＸＺ平面に平行な側面との３つの面に設けられている。
【００３８】
側面枠１１０Ｓが設けられないＹ軸正方向側には、開口部１１１Ｓが設けられている。開口部１１１Ｓは、フィルタケース１１０のＹ軸正方向側の側部の全体に形成される開口である。開口部１１１Ｓは、フィルタ本体１００の内部にフィルタ１５０を挿入するために設けられている。
【００３９】
なお、フィルタ１５０の外寸は、フィルタ１５０がフィルタ本体１００の内部に収納された状態で、Ｚ軸方向に数ミリ移動可能な程度に余裕を持たせた値に設定されている。
【００４０】
センサ１２１、１２２、１２３、１２４は、底面枠１１０Ｂの上面の四隅にそれぞれ設けられている。センサ１２１、１２２、１２３、１２４は、それぞれ、フィルタ１５０の目詰まりを四隅で検出するために設けられており、端子を有する。
【００４１】
センサ１２１、１２２、１２３、１２４の端子は、それぞれ、底面枠１１０Ｂとは絶縁されており、４本の配線によって端子１３１、１３２、１３３、１３４に接続されている。図２には、センサ１２１と端子１３１を接続する配線１３１Ａを破線で示す。配線１３１Ａは、例えば、上面枠１１０Ｕの下面、側面枠１１０Ｓの内側の面、及び底面枠１１０Ｂの上面に、上面枠１１０Ｕ、側面枠１１０Ｓ、及び底面枠１１０Ｂと絶縁された状態で配設される。
センサ１２２、１２３、１２４と端子１３２、１３３、１３４を接続する配線も同様である。
【００４２】
端子１３１、１３２、１３３、１３４は、上面枠１１０Ｕの上面で、Ｘ軸正方向側かつＹ軸負方向側の角部に配設されている。端子１３１、１３２、１３３、１３４の上には、それぞれ、導電性ゴム１４１、１４２、１４３、１４４（図１参照）が貼り付けられている。X軸正方向に端子、導電性ゴムを設置しているのは、その上面（Z軸正方向）に防塵フィルタの目詰まり検出・通知回路を持つ監視制御カードが実装されるからであり、監視制御カードの実装位置がX軸上で負方向にある場合は端子・導電性ゴムは負方向すなわち監視制御カードが実装される位置となる。
【００４３】
図４は、フィルタ１５０を示す図である。
【００４４】
フィルタ１５０は、フィルタ部１５１、及びフレーム１５２を有する。フィルタ１５０は、フィルタケース１１０（図２及び図３参照）の内部に収容され、冷却ファン４０の駆動に伴って下面側から流入する空気（冷却気流）に含まれる塵埃を除去し、上面側から信号処理カード３０（３１、３２、３３、３４、３５、３６）及び監視制御カード２００に冷却気流を流す。
【００４５】
フィルタ部１５１は、例えば、所定の等級の防塵度を有するメッシュ状又は綿状の合成繊維等であればよい。フィルタ部１５１は平面視で矩形状であり、フレーム１５２によって平面状に保持されている。なお、信号処理カードサイズの関係でフィルタ部が平面視で矩形状でなくてもよい。本説明では矩形状であることを前提として説明する。
【００４６】
フレーム１５２は、矩形枠部１５２Ａとサブフレーム１５２Ｂを有する。矩形枠部１５２Ａは、フィルタ部１５１の側面（４面）を覆うとともに、上面及び下面の端部を矩形環状に覆う金属製のフレームである。矩形枠部１５２Ａのうち、Ｘ軸方向に伸延する区間のＹＺ平面に平行な断面形状はコの字型であり、Ｙ軸方向に伸延する区間のＸＺ平面に平行な断面形状はコの字型である。すなわち、矩形枠部１５２Ａは、フィルタ部１５１の上面及び下面の端部と、側面（４面）とを保持している。
【００４７】
サブフレーム１５２Ｂは、フィルタ部１５１の上面側において、平面視における中央部で十字状に設けられている。サブフレーム１５２Ｂは、矩形枠部１５２Ａに固定されている。サブフレーム１５２Ｂは、矩形枠部１５２Ａの剛性を高めるために設けられている。また、サブフレーム１５２Ｂは、下側から冷却気流の風圧を受けるフィルタ部１５１が上側に膨らまないように保持している。なお、サブフレーム１５２Ｂは、下側に設けられていてもよく、上側及び下側の両方に設けられていてもよい。フィルタ素材によっては下側から冷却気流の風圧を受けても変形しない場合は、サブフレーム１５２Bはなくてもよい。
【００４８】
図５及び図６は、センサ１２１を示す図である。図６には、センサ１２１の上面にフレーム１５２の矩形枠部１５２Ａが当接している状態を断面で示す。なお、センサ１２１、１２２、１２３、１２４は、すべて同一の構成を有するため、ここではセンサ１２１について説明する。
【００４９】
センサ１２１は、端子１２１Ａとリングカバー１２１Ｂを有する。センサ１２１は、底面枠１１０Ｂに設けられた貫通孔１１０Ｂ１の内部に嵌着されている。貫通孔１１０Ｂ１は、上側の直径が下側の直径よりも大きくなるようにされた階段状の内周面を有する、平面視で円形の貫通孔である。
【００５０】
端子１２１Ａは、側面がリングカバー１２１Ｂに覆われており、上面及び底面がそれぞれ底面枠１１０Ｂの上面及び下面と面一にされている。端子１２１Ａの下端は、配線１３１Ａ（図２参照）によって端子１３１に接続されている。
【００５１】
端子１２１Ａは、例えば、ステンレス、アルミニウム、又は銅製である。リングカバー１２１Ｂは、樹脂製であり、底面枠１１０Ｂと端子１２１Ａを絶縁している。端子１２１Ａは、リングカバー１２１Ｂによって底面枠１１０Ｂから絶縁されることにより、浮遊電位に保持される。リングカバー１２１Ｂは、絶縁部の一例である。
【００５２】
端子１２１Ａの上面は、底面枠１１０Ｂの上面と面一であるため、フィルタケース１１０の内部にフィルタ１５０が挿入されると、フレーム１５２の矩形枠部１５２Ａの下面が当接する。矩形枠部１５２Ａの下面は、底面枠１１０Ｂの上面にも当接しているため、端子１２１Ａは、矩形枠部１５２Ａを介して底面枠１１０Ｂに接続される。底面枠１１０Ｂは、フレームグランド電位に保持されるので、端子１２１Ａは、矩形枠部１５２Ａを介して底面枠１１０Ｂに接続されている状態では、フレームグランド電位に保持される。
【００５３】
従って、矩形枠部１５２Ａを介して底面枠１１０Ｂに接続されている状態では、センサ１２１を介して検出される電位は、フレームグランド電位である。これは、センサ１２２、１２３、１２４においても同様である。
【００５４】
ところで、フィルタ１５０は、下側から冷却気流の風圧を受ける。フィルタ１５０に目詰まりが生じて、フィルタ１５０が受ける風圧による力（上方へ働く力）がフィルタ１５０にかかる重力よりも大きくなると、フィルタ１５０は、底面枠１１０Ｂから浮き上がる。
【００５５】
フィルタ１５０に付着する塵埃の量は平面視において均一ではないため、フィルタ１５０が受ける風圧による力は、平面視において均一ではない。このため、フィルタ１５０は、目詰まりが生じた状態において平面的に不均一な風圧を受け、センサ１２１、１２２、１２３、１２４のうちのいずれかの表面から矩形枠部１５２Ａが離れることが生じうる。
【００５６】
このような状態では、センサ１２１、１２２、１２３、１２４のうちの矩形枠部１５２Ａが離れたセンサが検出する電位は、フレームグランド電位から浮遊電位に変化する。実施の形態では、このようなセンサ１２１、１２２、１２３、１２４のうちのいずれかの電位の変化を監視することにより、フィルタ１５０の目詰まりを検出する。
【００５７】
フィルタ１５０は、目詰まりが生じていない（塵埃が付着していない）状態では、冷却気流の風圧を受けても浮遊せずに矩形枠部１５２Ａがセンサ１２１、１２２、１２３、１２４に接触しており、付着した塵埃の除去作業又はフィルタ１５０の交換作業が必要な程度の目詰まりが生じたときに、風圧によって浮き上がるような重量を有していればよい。
【００５８】
このようなフィルタ１５０の重量は、塵埃の除去作業又はフィルタ１５０の交換作業が必要な程度の目詰まりが生じたときのフィルタ１５０の空気抵抗と冷却気流の風速等を用いて、実験又はシミュレーションで求めればよい。
【００５９】
図７は、フィルタ本体１００と監視制御カード２００の監視系の構成を示す図である。図７には、フィルタ本体１００のフィルタケース１１０、端子１３１、１３２、１３３、１３４、及びフィルタ１５０と、監視制御カード２００のノード２１１、２１２、２１３、２１４、プルアップ抵抗器２２１、２２２、２２３、２２４、ＯＲ回路２３０、及び警告灯２４０を示す。
【００６０】
監視制御カード２００は、プルアップ抵抗器２２１、２２２、２２３、２２４、及びＯＲ回路２３０を内蔵し、外表面に配設される警告灯２４０を有する。プルアップ抵抗器２２１、２２２、２２３、２２４は、それぞれ、ノード２１１、２１２、２１３、２１４とＯＲ回路２３０の入力端子との間から分岐して設けられている。
【００６１】
ＯＲ回路２３０は、４つの入力端子にそれぞれノード２１１、２１２、２１３、２１４が接続され、出力端子に警告灯２４０が接続されている。ＯＲ回路２３０には、ノード２１１、２１２、２１３、２１４の電位が入力され、４つの電位の論理和を出力する。警告灯２４０は、例えば、ＬＥＤ(Light  Emitting  Diode)であり、ＯＲ回路２３０の出力がＬ(Low)レベルのときは点灯せず、Ｈ(High)レベルになると点灯する。なお、通知手段は警告灯の他、音による通知、上位装置への通知などがあり、警告灯は一例であることは言うまでもない。
【００６２】
フィルタ１５０に目詰まりが生じていない（塵埃が付着していない）状態では、ノード２１１、２１２、２１３、２１４の電位は、フレームグランド電位になるので、ＯＲ回路２３０の出力はＬレベルである。従って、フィルタ１５０に目詰まりが生じていない（塵埃が付着していない）状態では、警告灯２４０は点灯しない。
【００６３】
また、フィルタ本体１００の使用に伴ってフィルタ１５０に塵埃が付着しても、塵埃の除去作業又はフィルタ１５０の交換作業が必要な程度に達していなければ、ＯＲ回路２３０の出力はＬレベルであり、警告灯２４０は点灯しない。
【００６４】
また、フィルタ１５０に塵埃の除去作業又はフィルタ１５０の交換作業が必要な程度の目詰まりが生じると、フィルタ１５０の矩形枠部１５２Ａが浮き上がって、センサ１２１、１２２、１２３、１２４の少なくともいずれか１つから離れる。
【００６５】
これにより、対応するノード（２１１、２１２、２１３、２１４の少なくともいずれか１つ）の電位は、フレームグランド電位からプルアップ抵抗器（２２１、２１２、２１３、２１４の少なくともいずれか１つ）によって引き上げられ、Ｈレベルになる。
【００６６】
この結果、ＯＲ回路２３０の出力はＨレベルに変化し、警告灯２４０が点灯する。例えば、矩形枠部１５２Ａが浮き上がって、３つのセンサ１２１、１２２、１２３から離れてセンサ１２４にのみ接触している状態では、ノード２１１、２１２、２１３の電位がＨレベルになり、ノード２１４の電位がＬレベルに保持されるため、ＯＲ回路２３０の出力がＨレベルになって警告灯２４０が点灯する。ＯＲ回路２３０を用いているため、センサ１２１、１２２、１２３、１２４の少なくともいずれか１つから矩形枠部１５２Ａが離れれば、警告灯２４０が点灯する。
【００６７】
従って、フィルタ装置３００の利用者は、警告灯２４０が点灯したときに、フィルタ１５０に塵埃の除去作業、又は、フィルタ１５０の交換作業を行えばよい。
【００６８】
以上、実施の形態によれば、平面視においてフィルタ１５０を通過する空気の量に分布があり、フィルタ１５０に付着する塵埃の量は平面的に不均一な状況においても、目詰まりの状況を適確に検出できるフィルタ装置３００、及び、フィルタ装置３００の目詰まり判定方法を提供することができる。
【００６９】
なお、以上では、４つのセンサ１２１、１２２、１２３、１２４を用いる形態について説明したが、センサの数は２つであってもよい。センサが２つの場合は、対角上に位置するセンサ１２１と１２３、又は、センサ１２２と１２４を用いることが最も効果的であるが、センサ１２１、１２２、１２３、１２４のうちのいずれか２つを用いれば、フィルタ１５０に付着する塵埃の量は平面的に不均一な状況においても、目詰まりの状況を適確に検出できる。また、４つのセンサ１２１、１２２、１２３、１２４のうちのいずれか３つを用いてもよい。
【００７０】
また、以上では、フィルタ装置３００を基地局装置１０に用いる形態について説明したが、フィルタ装置３００は、冷却気流の塵埃を除去する必要があり、かつ、塵埃の分布が平面的に不均一になる装置であれば、基地局装置１０以外の装置に適用してもよい。換言すれば、フィルタ装置３００は、信号処理カード３０（３１、３２、３３、３４、３５、３６）以外の電子機器であって、放熱に必要な風量が平面的に不均一な電子機器に供給される冷却気流の塵埃を取得するために用いてもよい。また、信号処理カード３０は、１つであってもよい。
【００７１】
また、以上では、４つのセンサ１２１、１２２、１２３、１２４の電位の変化をＯＲ回路２３０で検出（判定）する形態について説明したが、４つのセンサ１２１、１２２、１２３、１２４のうちのいずれか１つの電位がＬレベル（フレームグランド電位）からＨレベルに変化することを検出できる回路であれば、ＯＲ回路以外であってもよい。
【００７２】
以上、本発明の例示的な実施の形態のフィルタ装置、及び、フィルタ装置の目詰まり判定方法について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
冷却気流が下側から上側に向けて供給される電子機器の下側に配設される筐体であって、第１開口部を備える底面枠と、前記第１開口部に対向する第２開口部を備える上面枠とを有する、導体製の筐体と、
前記筐体の前記底面枠の上面側に設けられ、前記筐体とは絶縁される、複数の端子と、
前記筐体の内部において、前記第１開口部と前記第２開口部との間に配設され、前記冷却気流の塵埃を除去するフィルタ部と、前記フィルタ部の平面視における周囲を保持するフレームとを有するフィルタと、
前記複数の端子に接続され、前記複数の端子の電位を検出する電位検出部であって、前記フレームが前記底面枠の上面と前記複数の端子とに接触している状態における電位に対する、前記冷却気流が前記フィルタ部を介して前記電子機器に供給されている状態における電位の変化を検出する、電位検出部と
を含む、フィルタ装置。
（付記２）
前記電位検出部は、前記複数の端子の電位の論理和を出力する論理和回路であり、
前記論理和回路は、前記フレームが前記底面枠の上面と前記複数の端子とに接触している状態において第１論理値を出力し、前記フィルタ部に所定量以上の塵埃が付着して前記冷却気流が前記フィルタ部を介して前記電子機器に供給されている状態において第２論理値を出力する、付記１記載のフィルタ装置。
（付記３）
前記フィルタは、前記フレームに接続され、前記フィルタ部の中央部を保持するサブフレームをさらに有する、付記１又は２記載のフィルタ装置。
（付記４）
前記第１開口部及び前記第２開口部は平面視で矩形状であり、
前記底面枠及び前記上面枠は、平面視で、前記第１開口部及び前記第２開口部をそれぞれ囲む矩形環状であり、
前記フィルタ部は平面視で矩形状であり、前記フレームは平面視で前記矩形状のフィルタ部を囲む矩形環状であり、
前記複数の端子は、矩形環状の前記底面枠の上面の四隅のいずれかに配設される、付記１乃至３のいずれか一項記載のフィルタ装置。
（付記５）
前記複数の端子は、
矩形環状の前記底面枠の上面の四隅のうちの対角上の２つの隅にそれぞれ配設される２つの端子、
矩形環状の前記底面枠の上面の四隅のうちの３つの隅にそれぞれ配設される３つの端子、又は、
矩形環状の前記底面枠の上面の四隅にそれぞれ配設される４つの端子である、付記４記載のフィルタ装置。
（付記６）
冷却気流が下側から上側に向けて供給される電子機器の下側に配設される筐体であって、第１開口部を備える底面枠と、前記第１開口部に対向する第２開口部を備える上面枠とを有する、導体製の筐体と、
前記筐体の前記底面枠の上面側に設けられ、前記筐体とは絶縁される、複数の端子と、
前記筐体の内部において、前記第１開口部と前記第２開口部との間に配設され、前記冷却気流の塵埃を除去するフィルタ部と、前記フィルタ部の平面視における周囲を保持するフレームとを有するフィルタと
を含むフィルタ装置の目詰まり判定方法であって、
前記フレームが前記底面枠の上面と前記複数の端子とに接触している状態における電位に対する、前記冷却気流が前記フィルタ部を介して前記電子機器に供給されている状態における電位の変化に基づいて、前記フィルタの目詰まりを判定する、フィルタ装置の目詰まり判定方法。
【符号の説明】
【００７３】
１０  基地局装置
２０（２０Ｌ、２０Ｒ）  フレーム
３０（３１、３２、３３、３４、３５、３６）  信号処理カード
４０  冷却ファン
１００  フィルタ本体
１１０  フィルタケース
１１０Ｂ  底面枠
１１０Ｕ  上面枠
１１０Ｓ  側面枠
１１１Ｂ  開口部
１１１Ｕ  開口部
１１１Ｓ  開口部
１２１、１２２、１２３、１２４  センサ
１３１、１３２、１３３、１３４  端子
１４１、１４２、１４３、１４４  導電性ゴム
１５０  フィルタ
１５１  フィルタ部
１５２  フレーム
２００  監視制御カード
２１１、２１２、２１３、２１４  ノード
２２１、２２２、２２３、２２４  プルアップ抵抗器
２３０  ＯＲ回路
２４０  警告灯
３００  フィルタ装置
【図１】
2018050007.tif 000003
【図２】
2018050007.tif 000004
【図３】
2018050007.tif 000005
【図４】
2018050007.tif 000006
【図５】
2018050007.tif 000007
【図６】
2018050007.tif 000008
【図７】
2018050007.tif 000009